(57)【要約】【課題】ＷＤＭ伝送方式の光通信システムにおいて波長合分波器を含めた監視を行うことが可能な光線路を提供する。【解決手段】光線路は、光ファイバ線路３０を介して互いに接続された波長合分波装置１１Ｃ，２１Ｃを備える。波長合分波装置１１Ｃは、波長成分Ｐ1〜Ｐ4の入出力をそれぞれ行う４つの信号ポート１２と、波長成分Ｐ1〜Ｐ4とは波長が異なる監視光ＭＰ1の入出力を行う監視ポート１３と、波長成分Ｐ1〜Ｐ4及び監視光ＭＰ1の合波及び分波を行う４つの波長合分波器１４とを有する。波長合分波装置２１Ｃは、波長成分Ｐ1〜Ｐ4の入出力をそれぞれ行う４つの信号ポート２２と、監視光ＭＰ1の進行方向を反転させる反転部２３と、波長成分Ｐ1〜Ｐ4及び監視光ＭＰ1の合波及び分波を行う４つの波長合分波器２４とを有する。監視光ＭＰ1は、４つの波長合分波器１４、及び４つの波長合分波器２４のそれぞれを通過する。【選択図】図４
2017046207.tif 000002
【特許請求の範囲】
【請求項１】
Ｎ個（Ｎは２以上の整数）の波長成分を含む信号光を用いて通信を行う波長多重光通信システムに用いられる光線路であって、
前記Ｎ個の波長成分の入出力をそれぞれ行うＮ個の信号ポートを各々有し、光ファイバ線路を介して互いに接続された第１及び第２の波長合分波装置を備え、
前記第１の波長合分波装置は、
前記Ｎ個の波長成分とは波長が異なるＭ個（Ｍは１以上の整数。Ｍが２以上である場合、互いに波長が異なる）の監視光の入出力をそれぞれ行うＭ個の監視ポートと、
前記Ｎ個の信号ポート及び前記Ｍ個の監視ポートと前記光ファイバ線路との間において、前記Ｎ個の波長成分及び前記Ｍ個の監視光の合波及び分波を行う（Ｍ＋Ｎ−１）個の第１の波長合分波器と、
を更に有し、
前記第２の波長合分波装置は、
前記Ｍ個の監視光の進行方向をそれぞれ反転させるＭ個の反転部と、
前記Ｎ個の信号ポート及び前記Ｍ個の反転部と前記光ファイバ線路との間において、前記Ｎ個の波長成分及び前記Ｍ個の監視光の合波及び分波を行う（Ｍ＋Ｎ−１）個の第２の波長合分波器と、
を更に有し、
前記（Ｍ＋Ｎ−１）個の第１の波長合分波器、及び前記（Ｍ＋Ｎ−１）個の第２の波長合分波器のそれぞれを、前記Ｍ個の監視光のうち少なくとも一つの監視光が通過する、光線路。
【請求項２】
前記Ｍ個の監視光の波長のうち少なくとも一つは、前記Ｎ個の波長成分の波長よりも大きいか若しくは小さい、請求項１に記載の光線路。
【請求項３】
前記Ｍ個の監視光の波長は、前記Ｎ個の波長成分の波長よりも大きいか若しくは小さい、請求項２に記載の光線路。
【請求項４】
前記第１及び第２の波長合分波器は、ハイパスフィルタ及びローパスフィルタのいずれかによって構成されている、請求項１〜３のいずれか一項に記載の光線路。
【請求項５】
前記（Ｍ＋Ｎ−１）個の第１の波長合分波器のうち少なくとも一部の波長合分波器は、一方の分岐端が前段の波長合分波器の結合端に光結合される態様にて第１段ないし最終段にわたって直列に結合され、各段の他方の分岐端には対応する前記信号ポートが光結合され、
前記第１段の波長合分波器の一方の分岐端には、前記Ｍ個の監視ポートのうち一つの監視ポートが光結合され、前記最終段の波長合分波器の結合端には前記光ファイバ線路が光結合されている、請求項１〜４のいずれか一項に記載の光線路。
【請求項６】
前記（Ｍ＋Ｎ−１）個の第２の波長合分波器のうち少なくとも一部の波長合分波器は、一方の分岐端が前段の波長合分波器の結合端に光結合される態様にて第１段ないし最終段にわたって直列に結合され、各段の他方の分岐端には対応する前記信号ポートが光結合され、
前記第１段の波長合分波器の一方の分岐端には、前記Ｍ個の反転部のうち一つの反転部が光結合され、前記最終段の波長合分波器の結合端には前記光ファイバ線路が光結合されている、請求項１〜５のいずれか一項に記載の光線路。
【請求項７】
前記Ｍ個の反転部は、光ファイバグレーティングによって前記Ｍ個の監視光をそれぞれ反射する、請求項１〜６のいずれか一項に記載の光線路。
【発明の詳細な説明】
【技術分野】
【０００１】
本発明は、光線路に関するものである。
【背景技術】
【０００２】
特許文献１には、分岐光線路の試験方法が開示されている。この文献に記載された試験方法では、局側に置かれた波長可変パルス光源を用い、スターカプラにより分岐された加入者側の光線路を検査する。具体的には、反射波長が互いに異なる反射フィルタを加入者側の光線路の遠端に挿入し、波長可変ＯＴＤＲからのパルス試験光をその反射フィルタにおいて反射させ、その反射されたパルス試験光による後方散乱光を再びその反射フィルタにおいて反射させ、その後方散乱光を局側で受光することにより当該分岐光線路の試験を行う。
【０００３】
また、特許文献２には、光ファイバ伝送装置の試験方法が開示されている。この文献に記載された試験方法は、スターカプラを介して局側光伝送装置と加入者光伝送装置とが相互に接続されたパッシブ・オプティカル・ネットワーク型の光ファイバ伝送装置における、個々の加入者光ファイバ線路の識別および障害検出を目的とする。この方法では、試験信号光を反射するための反射手段として、加入者光伝送装置毎に反射波長の異なる反射型波長フィルタを、加入者光伝送装置内に設ける。
【先行技術文献】
【特許文献】
【０００４】
【特許文献１】特開２００２−１３９４０３号公報
【特許文献２】特開平６−２３２８１７号公報
【特許文献３】特開平１０−１４８５９６号公報
【特許文献４】特開２０１１−１９６６８６号公報
【特許文献５】特開平７−２８３７８８号公報
【特許文献６】特開昭６３−２１８８３５号公報
【特許文献７】特開平９−１１３４１３号公報
【発明の概要】
【発明が解決しようとする課題】
【０００５】
光通信システムにおいては、通信障害を早期に発見するために、光線路の状態を監視することが重要である。従来より、特許文献１，２等に記載されているように、パッシブオプティカルネットワーク型やシングルスター型の光通信システムにおいて、光線路状態の監視が行われている。
【０００６】
一方、近年の通信トラフィックの増大に対応するため、基地局間（例えば、近年のスマートフォンの普及に起因して通信トラフィックが急増している無線基地局間）の通信において光波長多重（Wavelength Division Multiplexing：ＷＤＭ）伝送方式の採用が検討されている。このような場合、基地局間のＷＤＭ信号の伝送を光ファイバにより行い、各基地局において光ファイバの端に波長合分波器を接続することとなる。しかしながら、このような構成に従来の光線路監視方法を適用しても、波長合分波器の異常を検出することはできず、基地局間の光ファイバのみの監視に限定されてしまう。
【０００７】
本発明は、このような問題点に鑑みてなされたものであり、ＷＤＭ伝送方式の光通信システムにおいて波長合分波器を含めた監視を行うことが可能な光線路を提供することを目的とする。
【課題を解決するための手段】
【０００８】
上述した課題を解決するために、本発明の一実施形態に係る光線路は、Ｎ個（Ｎは２以上の整数）の波長成分を含む信号光を用いて通信を行う波長多重光通信システムに用いられる光線路であって、Ｎ個の波長成分の入出力をそれぞれ行うＮ個の信号ポートを各々有し、光ファイバ線路を介して互いに接続された第１及び第２の波長合分波装置を備える。第１の波長合分波装置は、Ｎ個の波長成分とは波長が異なるＭ個（Ｍは１以上の整数。Ｍが２以上である場合、互いに波長が異なる）の監視光の入出力をそれぞれ行うＭ個の監視ポートと、Ｎ個の信号ポート及びＭ個の監視ポートと光ファイバ線路との間において、Ｎ個の波長成分及びＭ個の監視光の合波及び分波を行う（Ｍ＋Ｎ−１）個の第１の波長合分波器とを更に有する。第２の波長合分波装置は、Ｍ個の監視光の進行方向をそれぞれ反転させるＭ個の反転部と、Ｎ個の信号ポート及びＭ個の反転部と光ファイバ線路との間において、Ｎ個の波長成分及びＭ個の監視光の合波及び分波を行う（Ｍ＋Ｎ−１）個の第２の波長合分波器とを更に有する。そして、（Ｍ＋Ｎ−１）個の第１の波長合分波器、及び（Ｍ＋Ｎ−１）個の第２の波長合分波器のそれぞれを、Ｍ個の監視光のうち少なくとも一つの監視光が通過する。
【発明の効果】
【０００９】
本発明による光線路によれば、ＷＤＭ伝送方式の光通信システムにおいて波長合分波器を含めた監視を行うことができる。
【図面の簡単な説明】
【００１０】
【図１】図１は、第１実施形態に係る光線路を好適に採用し得る光通信システムの一例として、モバイルフロントホールの構成を概略的に示すブロック図である。
【図２】図２は、第１実施形態の光通信システムに用いられる光線路の構成を示すブロック図である。
【図３】図３は、第２実施形態に係る光線路の構成を示すブロック図である。
【図４】図４は、第３実施形態に係る光線路の構成を示すブロック図である。
【発明を実施するための形態】
【００１１】
［本願発明の実施形態の説明］
最初に、本発明の実施形態の内容を列記して説明する。本発明の一実施形態に係る光線路は、Ｎ個（Ｎは２以上の整数）の波長成分を含む信号光を用いて通信を行う波長多重光通信システムに用いられる光線路であって、Ｎ個の波長成分の入出力をそれぞれ行うＮ個の信号ポートを各々有し、光ファイバ線路を介して互いに接続された第１及び第２の波長合分波装置を備える。第１の波長合分波装置は、Ｎ個の波長成分とは波長が異なるＭ個（Ｍは１以上の整数。Ｍが２以上である場合、互いに波長が異なる）の監視光の入出力をそれぞれ行うＭ個の監視ポートと、Ｎ個の信号ポート及びＭ個の監視ポートと光ファイバ線路との間において、Ｎ個の波長成分及びＭ個の監視光の合波及び分波を行う（Ｍ＋Ｎ−１）個の第１の波長合分波器とを更に有する。第２の波長合分波装置は、Ｍ個の監視光の進行方向をそれぞれ反転させるＭ個の反転部と、Ｎ個の信号ポート及びＭ個の反転部と光ファイバ線路との間において、Ｎ個の波長成分及びＭ個の監視光の合波及び分波を行う（Ｍ＋Ｎ−１）個の第２の波長合分波器とを更に有する。そして、（Ｍ＋Ｎ−１）個の第１の波長合分波器、及び（Ｍ＋Ｎ−１）個の第２の波長合分波器のそれぞれを、Ｍ個の監視光のうち少なくとも一つの監視光が通過する。
【００１２】
この光線路では、第１の波長合分波装置のＮ個の信号ポートが外部装置からのＮ個の波長成分を受けると、これらの波長成分は第１の波長合分波器によって合波され、波長多重の信号光となる。一方、第１の波長合分波装置のＭ個の監視ポートが外部装置からのＭ個の監視光を受けると、これらの監視光は、複数の第１の波長合分波器のそれぞれを少なくとも一つの監視光が通過しつつ、Ｎ個の波長成分に合波される。そして、これらの監視光は、信号光と共に光ファイバ線路を通って第２の波長合分波装置に達する。
【００１３】
第２の波長合分波装置では、第２の波長合分波器によって信号光がＮ個の波長成分に分波され、各波長成分は対応する信号ポートから外部装置へ出力される。一方、Ｍ個の監視光は、複数の第２の波長合分波器のそれぞれを少なくとも一つの監視光が通過しつつ、Ｎ個の波長成分から分波される。分波された各監視光の進行方向は、対応する各反転部によって反転される。
【００１４】
第２の波長合分波装置のＮ個の信号ポートが外部装置からのＮ個の波長成分を受けると、これらの波長成分は第２の波長合分波器によって合波され、波長多重の信号光となる。一方、反転したＭ個の監視光は、複数の第２の波長合分波器のそれぞれを少なくとも一つの監視光が通過しつつ、Ｎ個の波長成分に合波される。そして、Ｍ個の監視光は、信号光と共に光ファイバ線路を通って第１の波長合分波装置に達する。
【００１５】
第１の波長合分波装置では、第１の波長合分波器によって信号光がＮ個の波長成分に分波され、各波長成分は対応する信号ポートから外部装置へ出力される。一方、Ｍ個の監視光は、複数の第１の波長合分波器のそれぞれを少なくとも一つの監視光が通過しつつ、Ｎ個の波長成分から分波される。分波された各監視光は、対応する監視ポートから外部装置へ出力される。
【００１６】
このような構成によれば、監視ポートに入力される監視光と監視ポートから出力される監視光とを比較することにより、第１及び第２の波長合分波器および光ファイバ線路を含めた光通信システムの監視を行うことができる。すなわち、上記の光線路によれば、ＷＤＭ伝送方式の光通信システムにおいて、波長合分波器を含めた監視を行うことができる。
【００１７】
また、上記の光線路では、Ｍ個の監視光の波長のうちの少なくとも一つが、Ｎ個の波長成分の波長よりも大きいか若しくは小さくてもよい。これにより、或る定められた波長範囲内における一定の波長幅での信号光の波長の割り当てを妨げることなく、光線路の監視を行うことができる。さらに、Ｍ個の監視光の波長が、Ｎ個の波長成分の波長よりも大きいか若しくは小さくてもよい。これにより、信号光の波長の割り当てが、より容易になる。
【００１８】
また、第１及び第２の波長合分波器は、ハイパスフィルタ及びローパスフィルタのいずれかによって構成されてもよい。このように、波長合分波器を比較的安価なハイパスフィルタ若しくはローパスフィルタによって構成することにより、光線路の製造コストを低減できる。
【００１９】
また、（Ｍ＋Ｎ−１）個の第１の波長合分波器のうち少なくとも一部の波長合分波器は、一方の分岐端が前段の波長合分波器の結合端に光結合される態様にて第１段ないし最終段にわたって直列に結合され、各段の他方の分岐端には対応する信号ポートが光結合され、第１段の波長合分波器の一方の分岐端には、Ｍ個の監視ポートのうち一つの監視ポートが光結合され、最終段の波長合分波器の結合端には光ファイバ線路が光結合されてもよい。例えばこのような構成によって、（Ｍ＋Ｎ−１）個の第１の波長合分波器のそれぞれを、少なくとも一つの監視光が必ず通過する構成を簡易に実現できる。
【００２０】
また、（Ｍ＋Ｎ−１）個の第２の波長合分波器のうち少なくとも一部の波長合分波器は、一方の分岐端が前段の波長合分波器の結合端に光結合される態様にて第１段ないし最終段にわたって直列に結合され、各段の他方の分岐端には対応する信号ポートが光結合され、第１段の波長合分波器の一方の分岐端には、Ｍ個の反転部のうち一つの反転部が光結合され、最終段の波長合分波器の結合端には光ファイバ線路が光結合されてもよい。例えばこのような構成によって、（Ｍ＋Ｎ−１）個の第２の波長合分波器のそれぞれを、少なくとも一つの監視光が必ず通過する構成を簡易に実現できる。
【００２１】
上記の光線路では、Ｍ個の反転部が、光ファイバグレーティングによってＭ個の監視光をそれぞれ反射してもよい。これにより、Ｍ個の反転部を簡易に実現できる。
【００２２】
［本願発明の実施形態の詳細］
本発明の実施形態に係る光線路の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００２３】
（第１実施形態）
図１は、本発明の第１実施形態に係る光線路を好適に採用し得る光通信システムの一例として、モバイルフロントホール１Ａの構成を概略的に示すブロック図である。図１に示されるように、モバイルフロントホール１Ａは、一つのベースバンドユニット（Base Band Unit；ＢＢＵ）１０と、複数のリモートラジオヘッド（Remote Radio Head；ＲＲＨ）２０とが光ファイバ線路３０を介して互いに接続された構成を備える。ＢＢＵ１０は、送信すべき情報を含む電気信号を光信号に変換し、光ファイバ線路３０に出力する。ＲＲＨ２０は、光ファイバ線路３０を介して得られた光信号を電波信号に変換して各端末へ送信する。また、ＲＲＨ２０は、各端末から受信した電波信号を光信号に変換して光ファイバ線路３０に出力する。ＢＢＵ１０は、光ファイバ線路３０を介して得られた光信号を電気信号に変換し、受信すべき情報を得る。
【００２４】
ＢＢＵ１０とＲＲＨ２０とは、波長多重光通信システムにより互いに結ばれる。すなわち、ＢＢＵ１０及びＲＲＨ２０は、Ｎ個（Ｎは２以上の整数）の波長成分を含む信号光を用いて相互の通信を行う。使用される波長の一例としては、例えば１２７１ｎｍ，１２９１ｎｍ，１３３１ｎｍ，１３５１ｎｍ，１３７１ｎｍ，１４１１ｎｍ，１４７１ｎｍ，１４９１ｎｍ，１５１１ｎｍ，１５３１ｎｍ，１５５１ｎｍ，及び１５７１ｎｍの計１２波長（すなわちＮ＝１２）が挙げられる。
【００２５】
図２は、本実施形態の光通信システムに用いられる光線路の構成を示すブロック図である。図２に示されるように、この光線路は、前述した光ファイバ線路３０を介して互いに接続された、第１の波長合分波装置１１Ａ及び第２の波長合分波装置２１Ａを備える。波長合分波装置１１Ａは、例えばＢＢＵ１０側に設けられており、光入出力ポート１５を介して光ファイバ線路３０の一端に接続されている。また、波長合分波装置２１Ａは、例えばＲＲＨ２０側に設けられており、光入出力ポート２５を介して光ファイバ線路３０の他端に接続されている。
【００２６】
波長合分波装置１１Ａは、Ｎ個（図ではＮ＝１２の場合を例示）の信号ポート１２と、Ｍ個（Ｍは２以上の整数、図ではＭ＝２の場合を例示）の監視ポート１３とを有する。Ｎ個の信号ポート１２は、Ｎ個の波長成分Ｐ1〜ＰNの入出力をそれぞれ行う。Ｍ個の監視ポート１３は、Ｍ個の監視光ＭＰ1〜ＭＰMの入出力をそれぞれ行う。Ｍ個の監視光ＭＰ1〜ＭＰMは、光線路の状態を監視するためにＮ個の波長成分Ｐ1〜ＰNとは別に用意される光であって、Ｎ個の波長成分Ｐ1〜ＰNとは波長が異なり、且つ、互いに波長が異なる。好適には、Ｍ個の監視光ＭＰ1〜ＭＰMの波長の一つは、Ｎ個の波長成分Ｐ1〜ＰNの波長よりも大きいか、若しくは小さい。例えばＭ＝２の場合、監視光ＭＰ1及びＭＰ2の各波長の好適な値は、１３１０ｎｍ及び最長の信号光波長より長い１６２５ｎｍである。
【００２７】
波長合分波装置１１Ａは、（Ｍ＋Ｎ−１）個の第１の波長合分波器１４を更に有する。波長合分波器１４は、２つの分岐端１４ａ，１４ｂと、１つの結合端１４ｃとを有する、いわゆる１×２のＷＤＭフィルタである。これらの波長合分波器１４は、Ｎ個の信号ポート１２及びＭ個の監視ポート１３と光ファイバ線路３０の一端との間において、波長成分Ｐ1〜ＰN及び監視光ＭＰ1〜ＭＰMの合波及び分波を行う。すなわち、（Ｍ＋Ｎ−１）個の波長合分波器１４は、Ｎ個の信号ポート１２から入力された波長成分Ｐ1〜ＰN、及びＭ個の監視ポート１３から入力された監視光ＭＰ1〜ＭＰMを合波して、その合波光（送信光）を光ファイバ線路３０へ出力する。また、（Ｍ＋Ｎ−１）個の波長合分波器１４は、光ファイバ線路３０から得られた合波光（受信光）から波長成分Ｐ1〜ＰN及び監視光ＭＰ1〜ＭＰMを分波し、波長成分Ｐ1〜ＰNそれぞれを各信号ポート１２に出力し、監視光ＭＰ1〜ＭＰMそれぞれを各監視ポート１３に出力する。これらの波長合分波器１４は、ハイパスフィルタ及びローパスフィルタのいずれかによって構成されている。
【００２８】
また、本実施形態の（Ｍ＋Ｎ−１）個の波長合分波器１４は、これらの波長合分波器１４のそれぞれをＭ個の監視光ＭＰ1〜ＭＰMのうち少なくとも一つの監視光が必ず通過するように、Ｍ個の監視ポート１３と光結合されている。具体的には、（Ｍ＋Ｎ−１）個の波長合分波器１４のうち一部の波長合分波器１４は直列合分波器群１７Ａを構成しており、別の一部の波長合分波器１４は直列合分波器群１７Ｂを構成している。直列合分波器群１７Ａ，１７Ｂでは、一方の分岐端１４ａが前段の波長合分波器１４の結合端１４ｃに光結合される態様にて、第１段ないし最終段にわたって波長合分波器１４が直列に結合されている。そして、各段の波長合分波器１４の他方の分岐端１４ｂには、対応する信号ポート１２が光結合されている。第１段の波長合分波器１４の一方の分岐端１４ａには、一つの監視ポート１３が光結合されている。最終段の波長合分波器１４の結合端１４ｃは、直列合分波器群１７Ａ，１７Ｂに属さない一つの波長合分波器１４を介して、光ファイバ線路３０の一端と光結合されている。
【００２９】
波長合分波装置２１Ａは、Ｎ個の信号ポート２２と、Ｍ個の反転部２３とを有する。Ｎ個の信号ポート２２は、Ｎ個の波長成分Ｐ1〜ＰNの入出力をそれぞれ行う。Ｍ個の反転部２３は、波長合分波装置１１Ａから到達したＭ個の監視光ＭＰ1〜ＭＰMの進行方向をそれぞれ反転させる。一例では、Ｍ個の反転部２３は光ファイバグレーティングといった光反射構造によって構成され、Ｍ個の監視光ＭＰ1〜ＭＰMをそれぞれ反射することによりその進行方向を反転させる。
【００３０】
波長合分波装置２１Ａは、（Ｍ＋Ｎ−１）個の第２の波長合分波器２４を更に有する。これらの波長合分波器２４は、Ｎ個の信号ポート２２及びＭ個の反転部２３と光ファイバ線路３０の他端との間において、波長成分Ｐ1〜ＰN及び監視光ＭＰ1〜ＭＰMの合波及び分波を行う。すなわち、（Ｍ＋Ｎ−１）個の波長合分波器２４は、光ファイバ線路３０から得られた合波光（受信光）から波長成分Ｐ1〜ＰN及び監視光ＭＰ1〜ＭＰMを分波し、波長成分Ｐ1〜ＰNそれぞれを各信号ポート２２に出力し、監視光ＭＰ1〜ＭＰMそれぞれを各反転部２３に出力する。また、（Ｍ＋Ｎ−１）個の波長合分波器２４は、Ｎ個の信号ポート２２から入力された波長成分Ｐ1〜ＰN、及びＭ個の反転部２３によって反転された監視光ＭＰ1〜ＭＰMを合波して、その合波光（送信光）を光ファイバ線路３０へ出力する。これらの波長合分波器２４は、ハイパスフィルタ及びローパスフィルタのいずれかによって構成されている。
【００３１】
また、本実施形態の（Ｍ＋Ｎ−１）個の波長合分波器２４は、これらの波長合分波器２４のそれぞれをＭ個の監視光ＭＰ1〜ＭＰMのうち少なくとも一つの監視光が必ず通過するように、Ｍ個の反転部２３と光結合されている。具体的には、（Ｍ＋Ｎ−１）個の波長合分波器２４のうち一部の波長合分波器２４は直列合分波器群２７Ａを構成しており、別の一部の波長合分波器２４は直列合分波器群２７Ｂを構成している。直列合分波器群２７Ａ，２７Ｂでは、一方の分岐端２４ａが前段の波長合分波器２４の結合端２４ｃに光結合される態様にて、第１段ないし最終段にわたって波長合分波器２４が直列に結合されている。そして、各段の波長合分波器２４の他方の分岐端２４ｂには、対応する信号ポート２２が光結合されている。第１段の波長合分波器２４の一方の分岐端２４ａには、一つの反転部２３が光結合されている。最終段の波長合分波器２４の結合端２４ｃは、直列合分波器群２７Ａ，２７Ｂに属さない一つの波長合分波器２４を介して、光ファイバ線路３０の他端と光結合されている。
【００３２】
以上の構成を備える本実施形態の光線路では、波長合分波装置１１ＡのＮ個の信号ポート１２がＢＢＵ１０からの送信のためのＮ個の波長成分Ｐ1〜ＰNを受けると、これらの波長成分Ｐ1〜ＰNは波長合分波器１４によって合波され、波長多重の信号光となる。一方、波長合分波装置１１ＡのＭ個の監視ポート１３がＢＢＵ１０からのＭ個の監視光ＭＰ1〜ＭＰMを受けると、これらの監視光ＭＰ1〜ＭＰMは、複数の波長合分波器１４のそれぞれを少なくとも一つの監視光が通過しつつ、Ｎ個の波長成分Ｐ1〜ＰNに合波される。図２に示される例では、波長成分Ｐ1〜Ｐ6を順次合波する５個の波長合分波器１４を監視光ＭＰ1が通過し、波長成分Ｐ12〜Ｐ7を順次合波する５個の波長合分波器１４を監視光ＭＰ2が通過し、波長成分Ｐ1〜Ｐ6と波長成分Ｐ7〜Ｐ12とを合波する一つの波長合分波器１４を監視光ＭＰ1，ＭＰ2が通過する。その後、これらの監視光ＭＰ1〜ＭＰMは、信号光（波長成分Ｐ1〜ＰN）と共に光ファイバ線路３０を通って波長合分波装置２１Ａに達する。
【００３３】
波長合分波装置２１Ａでは、複数の波長合分波器２４によって信号光がＮ個の波長成分Ｐ1〜ＰNに分波され、各波長成分Ｐ1〜ＰNは対応する信号ポート２２からＲＲＨ２０へ出力される。一方、Ｍ個の監視光ＭＰ1〜ＭＰMは、複数の波長合分波器２４のそれぞれを少なくとも一つの監視光が通過しつつ、Ｎ個の波長成分Ｐ1〜ＰNから分波される。図２に示される例では、波長成分Ｐ1〜Ｐ6と波長成分Ｐ7〜Ｐ12とを分波する一つの波長合分波器２４を監視光ＭＰ1，ＭＰ2が通過し、波長成分Ｐ6〜Ｐ1を順次分波する５個の波長合分波器２４を監視光ＭＰ1が通過し、波長成分Ｐ7〜Ｐ12を順次分波する５個の波長合分波器２４を監視光ＭＰ2が通過する。分波された各監視光ＭＰ1〜ＭＰMの進行方向は、各反転部２３によって反転される。
【００３４】
ここで、波長合分波装置２１ＡのＮ個の信号ポート２２がＲＲＨ２０からの送信のためのＮ個の波長成分Ｐ1〜ＰNを受けると、これらの波長成分Ｐ1〜ＰNは波長合分波器２４によって合波され、波長多重の信号光となる。一方、各反転部２３によって反転したＭ個の監視光ＭＰ1〜ＭＰMは、複数の波長合分波器２４のそれぞれを少なくとも一つの監視光ＭＰ1〜ＭＰMが通過しつつ、Ｎ個の波長成分Ｐ1〜ＰNに合波される。その後、Ｍ個の監視光ＭＰ1〜ＭＰMは、信号光（波長成分Ｐ1〜ＰN）と共に光ファイバ線路３０を通って波長合分波装置１１Ａに達する。
【００３５】
波長合分波装置１１Ａでは、波長合分波器１４によって信号光がＮ個の波長成分Ｐ1〜ＰNに分波され、各波長成分Ｐ1〜ＰNは対応する信号ポート１２からＢＢＵ１０へ出力される。一方、Ｍ個の監視光ＭＰ1〜ＭＰMは、複数の波長合分波器１４のそれぞれを少なくとも一つの監視光ＭＰ1〜ＭＰMが通過しつつ、Ｎ個の波長成分Ｐ1〜ＰNから分波される。分波された各監視光ＭＰ1〜ＭＰMは、対応する監視ポート１３からＢＢＵ１０へ出力される。
【００３６】
本実施形態の光線路によって得られる効果は次の通りである。この光線路によれば、ＢＢＵ１０から監視ポート１３に入力される監視光ＭＰ1〜ＭＰMの波形と、監視ポート１３からＢＢＵ１０へ出力される監視光ＭＰ1〜ＭＰMの波形とを比較することにより、波長合分波器１４，２４および光ファイバ線路３０を含めた光通信システムの監視を行うことができる。すなわち、この光線路によれば、ＷＤＭ伝送方式の光通信システムにおいて、波長合分波器１４，２４を含めた監視を行うことができる。
【００３７】
また、本実施形態のように、Ｍ個の監視光ＭＰ1〜ＭＰMのうちの少なくとも一つの波長は、Ｎ個の波長成分Ｐ1〜ＰNの波長よりも大きいか若しくは小さくてもよい。これにより、或る定められた波長範囲内における一定の波長幅での信号光の波長の割り当てを妨げることなく、光線路の監視を行うことができる。更に、Ｍ個の監視光ＭＰ1〜ＭＰMの波長は、Ｎ個の波長成分Ｐ1〜ＰNの波長よりも大きいか若しくは小さいと、より好適である。
【００３８】
また、本実施形態のように、波長合分波器１４，２４は、ハイパスフィルタ及びローパスフィルタのいずれかによって構成されてもよい。このように、波長合分波器１４，２４を比較的安価なハイパスフィルタ若しくはローパスフィルタによって構成することにより、光線路の製造コストを低減できる。
【００３９】
また、本実施形態のように、少なくとも一部の波長合分波器１４は直列合分波器群１７Ａを構成してもよく、また、少なくとも一部の波長合分波器２４は直列合分波器群２７Ａを構成してもよい。このような構成によって、複数の波長合分波器１４、及び複数の波長合分波器２４のそれぞれを、少なくとも一つの監視光が必ず通過する構成を簡易に実現できる。
【００４０】
また、本実施形態のように、Ｍ個の反転部２３は、光ファイバグレーティングによってＭ個の監視光ＭＰ1〜ＭＰMをそれぞれ反射してもよい。これにより、Ｍ個の反転部２３を簡易に実現できる。
【００４１】
（第２実施形態）
使用される信号光波長の一例として、例えば１３５１ｎｍ，１３７１ｎｍ，１４１１ｎｍ，１４７１ｎｍ，１４９１ｎｍ，１５１１ｎｍ，１５３１ｎｍ，及び１５５１ｎｍの計８波長である場合の構成について例示する。基本的な装置構成は第１実施形態と同様の構成である。
【００４２】
本実施形態の波長合分波装置は、８個の信号ポート１２と、２個の監視ポート１３とを有する。即ち、Ｎ＝８、Ｍ＝２の場合の例である。８個の信号ポート１２は、８個の波長成分Ｐ1〜Ｐ8の入出力をそれぞれ行う。２個の監視ポート１３は、２個の監視光ＭＰ1〜ＭＰMの入出力をそれぞれ行う。２個の監視光ＭＰ1、ＭＰ2は、光線路の状態を監視するために８個の波長成分Ｐ1〜Ｐ8とは別に用意される光であって、８個の波長成分Ｐ1〜Ｐ8とは波長が異なり、且つ、互いに波長が異なる。好適には、２個の監視光ＭＰ1、ＭＰ2の波長は、８個の波長成分Ｐ1〜Ｐ8の波長よりも大きいか、若しくは小さい。本実施形態の場合、監視光ＭＰ1及びＭＰ2の各波長の好適な値は、最短の信号光波長より短い１３１０ｎｍ及び最長の信号光波長より長い１６２５ｎｍである。
【００４３】
（第３実施形態）
図３は、本発明の第３実施形態に係る光線路の構成を示すブロック図である。図３に示されるように、この光線路は、光ファイバ線路３０を介して互いに接続された、第１の波長合分波装置１１Ｂ及び第２の波長合分波装置２１Ｂを備える。波長合分波装置１１Ｂは、例えばＢＢＵ１０側に設けられており、光入出力ポート１５を介して光ファイバ線路３０の一端に接続されている。また、波長合分波装置２１Ｂは、例えばＲＲＨ２０側に設けられており、光ファイバ線路３０の他端に接続されている。
【００４４】
波長合分波装置１１Ｂは、Ｎ個（図ではＮ＝１０の場合を例示）の信号ポート１２と、Ｍ個（図ではＭ＝４の場合を例示）の監視ポート１３と、（Ｍ＋Ｎ−１）個の波長合分波器１４とを有する。第１実施形態と同様に、Ｎ個の信号ポート１２は、Ｎ個の波長成分Ｐ1〜ＰNの入出力をそれぞれ行う。Ｍ個の監視ポート１３は、Ｍ個の監視光ＭＰ1〜ＭＰMの入出力をそれぞれ行う。（Ｍ＋Ｎ−１）個の波長合分波器１４は、Ｎ個の信号ポート１２及びＭ個の監視ポート１３と光ファイバ線路３０の一端との間において、波長成分Ｐ1〜ＰN及び監視光ＭＰ1〜ＭＰMの合波及び分波を行う。
【００４５】
本実施形態においても、（Ｍ＋Ｎ−１）個の波長合分波器１４の一部は、直列合分波器群１７Ａ，１７Ｂを構成している。但し、第１実施形態とは異なり、各直列合分波器群１７Ａ，１７Ｂにおいて、最終段の波長合分波器１４の分岐端１４ｂは、監視ポート１３と光結合されている。図３に示される例（Ｍ＝４）では、直列合分波器群１７Ａの第１段の波長合分波器１４の分岐端１４ａには監視光ＭＰ1が入力され、最終段の波長合分波器１４の分岐端１４ｂには監視光ＭＰ2が入力される。また、直列合分波器群１７Ｂの第１段の波長合分波器１４の分岐端１４ａには監視光ＭＰ4が入力され、最終段の波長合分波器１４の分岐端１４ｂには監視光ＭＰ3が入力される。なお、波長成分Ｐ1〜Ｐ10の波長λP1〜λP10と、監視光ＭＰ1〜ＭＰ4の波長λMP1〜λMP4とは、好適には次の関係
λMP1＜λP1〜λP5＜λMP2＜λMP3＜λP6〜λP10＜λMP4
を満たす。
【００４６】
波長合分波装置２１Ｂは、２個の波長合分波モジュール２６，２７と、波長合分波モジュール２６，２７の外側に配置された一つの波長合分波器３１（第２の波長合分波器）とを有する。この波長合分波器３１の一方の分岐端３１ａは入出力ポート２８を介して波長合分波モジュール２６に接続されており、他方の分岐端３１ｂは入出力ポート２９を介して波長合分波モジュール２７に接続されている。波長合分波器３１の結合端３１ｃは、光ファイバ線路３０の他端に接続されている。この波長合分波器３１は、波長成分Ｐ1〜ＰN及び監視光ＭＰ1〜ＭＰMの合波及び分波を行う。すなわち、波長合分波器３１は、波長合分波装置１１Ｂから送信された波長成分Ｐ1〜ＰN及び監視光ＭＰ1〜ＭＰMを、波長成分Ｐ1〜ＰN/2及び監視光ＭＰ1〜ＭＰM/2からなる第１群と、波長成分ＰN/2+1〜ＰN及び監視光ＭＰM/2+1〜ＭＰMからなる第２群とに分波し、第１群を波長合分波モジュール２６へ出力し、第２群を波長合分波モジュール２７へ出力する。また、波長合分波器３１は、波長合分波モジュール２６から得られる第１群と、波長合分波モジュール２６から得られる第２群とを合波し、その合波光を光ファイバ線路３０へ出力する。なお、本実施形態の波長合分波装置２１Ｂは筐体を有さなくてもよく、その場合、波長合分波モジュール２６，２７は互いに離れて配置されてもよい。
【００４７】
波長合分波モジュール２６，２７それぞれは、（Ｎ／２）個の信号ポート２２と、（Ｍ／２）個の反転部２３とを有する。波長合分波モジュール２６では、（Ｎ／２）個の信号ポート２２が（Ｎ／２）個の波長成分Ｐ1〜ＰN/2の入出力をそれぞれ行い、（Ｍ／２）個の反転部２３が波長合分波装置１１Ｂから到達した（Ｍ／２）個の監視光ＭＰ1〜ＭＰM/2の進行方向をそれぞれ反転させる。波長合分波モジュール２７では、（Ｎ／２）個の信号ポート２２が（Ｎ／２）個の波長成分ＰN/2+1〜ＰNの入出力をそれぞれ行い、（Ｍ／２）個の反転部２３が波長合分波装置１１Ｂから到達した（Ｍ／２）個の監視光ＭＰM/2+1〜ＭＰMの進行方向をそれぞれ反転させる。
【００４８】
波長合分波モジュール２６，２７それぞれは、｛（Ｍ＋Ｎ）／２−１｝個の波長合分波器２４を更に有する。これらの波長合分波器２４は、（Ｎ／２）個の信号ポート２２及び（Ｍ／２）個の反転部２３と光ファイバ線路３０の他端との間において、波長成分及び監視光の合波及び分波を行う。すなわち、波長合分波モジュール２６の｛（Ｍ＋Ｎ）／２−１｝個の波長合分波器２４は、波長合分波器３１から入力される波長成分Ｐ1〜ＰN/2及び監視光ＭＰ1〜ＭＰM/2を分波し、波長成分Ｐ1〜ＰN/2それぞれを各信号ポート２２に出力し、監視光ＭＰ1〜ＭＰM/2それぞれを各反転部２３に出力する。同様に、波長合分波モジュール２７の｛（Ｍ＋Ｎ）／２−１｝個の波長合分波器２４は、波長合分波器３１から入力される波長成分ＰN/2+1〜ＰN及び監視光ＭＰM/2+1〜ＭＰMを分波し、波長成分ＰN/2+1〜ＰNそれぞれを各信号ポート２２に出力し、監視光ＭＰM/2+1〜ＭＰMそれぞれを各反転部２３に出力する。
【００４９】
また、波長合分波モジュール２６の｛（Ｍ＋Ｎ）／２−１｝個の波長合分波器２４は、（Ｎ／２）個の信号ポート２２から入力された波長成分Ｐ1〜ＰN/2、及び（Ｍ／２）個の反転部２３において反転した監視光ＭＰ1〜ＭＰM/2を合波して、その合波光を波長合分波器３１へ出力する。同様に、波長合分波モジュール２７の｛（Ｍ＋Ｎ）／２−１｝個の波長合分波器２４は、（Ｎ／２）個の信号ポート２２から入力された波長成分ＰN/2+1〜ＰN、及び（Ｍ／２）個の反転部２３において反転した監視光ＭＰM/2+1〜ＭＰMを合波して、その合波光を波長合分波器３１へ出力する。
【００５０】
波長合分波モジュール２６，２７において、｛（Ｍ＋Ｎ）／２−１｝個の波長合分波器２４は、これらの波長合分波器２４のそれぞれを（Ｍ／２）個の監視光のうち少なくとも一つの監視光が必ず通過するように、（Ｎ／２）個の信号ポート２２及び（Ｍ／２）個の反転部２３と光結合されている。具体的には、｛（Ｍ＋Ｎ）／２−１｝個の波長合分波器２４のうち一部の波長合分波器２４は直列合分波器群３２Ａを構成しており、別の一部の波長合分波器２４は直列合分波器群３２Ｂを構成している。直列合分波器群３２Ａ，３２Ｂでは、一方の分岐端２４ａが前段の波長合分波器２４の結合端２４ｃに光結合される態様にて、第１段ないし最終段にわたって波長合分波器２４が直列に結合されている。そして、各段の波長合分波器２４の他方の分岐端２４ｂには、対応する信号ポート２２が光結合されている。第１段の波長合分波器２４の一方の分岐端２４ａには、一つの反転部２３が光結合されている。最終段の波長合分波器２４の結合端２４ｃは、直列合分波器群３２Ａ，３２Ｂに属さない一つの波長合分波器２４を介して、波長合分波器３１と光結合されている。
【００５１】
以上の構成を備える本実施形態の光線路では、波長合分波器３１及び複数の波長合分波器２４によって信号光がＮ個の波長成分Ｐ1〜ＰNに分波され、各波長成分Ｐ1〜ＰNは対応する信号ポート２２からＲＲＨ２０へ出力される。一方、Ｍ個の監視光ＭＰ1〜ＭＰMは、波長合分波器３１及び複数の波長合分波器２４のそれぞれを少なくとも一つの監視光が通過しつつ、Ｎ個の波長成分Ｐ1〜ＰNから分波される。図３に示される例では、監視光ＭＰ1〜ＭＰ4が波長合分波器３１を通過する。更に、監視光ＭＰ1、ＭＰ2は、波長成分Ｐ1〜Ｐ3と波長成分Ｐ4，Ｐ5とを分波する波長合分波器２４を通過する。また、監視光ＭＰ1は、波長成分Ｐ3〜Ｐ1を順次分波する３個の波長合分波器２４を通過する。監視光ＭＰ2は、波長成分Ｐ4，Ｐ5を順次分波する２個の波長合分波器２４を通過する。監視光ＭＰ3、ＭＰ4は、波長成分Ｐ6〜Ｐ8と波長成分Ｐ9，Ｐ10とを分波する波長合分波器２４を通過する。監視光ＭＰ3は、波長成分Ｐ8〜Ｐ6を順次分波する３個の波長合分波器２４を通過する。監視光ＭＰ4は、波長成分Ｐ9〜Ｐ10を順次分波する２個の波長合分波器２４を通過する。分波された各監視光ＭＰ1〜ＭＰMの進行方向は、各反転部２３によって反転される。
【００５２】
ここで、波長合分波装置２１ＢのＮ個の信号ポート２２がＲＲＨ２０からの送信のためのＮ個の波長成分Ｐ1〜ＰNを受けると、これらの波長成分Ｐ1〜ＰNは複数の波長合分波器２４及び一つの波長合分波器３１によって合波され、波長多重の信号光となる。一方、各反転部２３によって反転したＭ個の監視光ＭＰ1〜ＭＰMは、複数の波長合分波器２４及び一つの波長合分波器３１のそれぞれを少なくとも一つの監視光が通過しつつ、Ｎ個の波長成分Ｐ1〜ＰNに合波される。その後、Ｍ個の監視光ＭＰ1〜ＭＰMは、信号光（波長成分Ｐ1〜ＰN）と共に光ファイバ線路３０を通って波長合分波装置１１Ｂに達する。
【００５３】
波長合分波装置１１Ｂでは、波長合分波器１４によって信号光がＮ個の波長成分Ｐ1〜ＰNに分波され、各波長成分Ｐ1〜ＰNは対応する信号ポート１２からＢＢＵ１０へ出力される。一方、Ｍ個の監視光ＭＰ1〜ＭＰMは、複数の波長合分波器１４のそれぞれを少なくとも一つの監視光が通過しつつ、Ｎ個の波長成分Ｐ1〜ＰNから分波される。分波された各監視光ＭＰ1〜ＭＰMは、対応する監視ポート１３からＢＢＵ１０へ出力される。
【００５４】
本実施形態の光線路によれば、第１実施形態と同様の効果が得られる。すなわち、本実施形態の光線路によれば、ＢＢＵ１０から監視ポート１３に入力される監視光ＭＰ1〜ＭＰMの波形と、監視ポート１３からＢＢＵ１０へ出力される監視光ＭＰ1〜ＭＰMの波形とを比較することにより、波長合分波器１４，２４，３１および光ファイバ線路３０を含めた光通信システムの監視を行うことができる。すなわち、この光線路によれば、ＷＤＭ伝送方式の光通信システムにおいて、波長合分波器１４，２４，３１を含めた監視を行うことができる。
【００５５】
（第４実施形態）
図４は、本発明の第４実施形態に係る光線路の構成を示すブロック図である。図４に示されるように、この光線路は、光ファイバ線路３０を介して互いに接続された、第１の波長合分波装置１１Ｃ及び第２の波長合分波装置２１Ｃを備える。波長合分波装置１１Ｃは、例えばＢＢＵ１０側に設けられており、光入出力ポート１５を介して光ファイバ線路３０の一端に接続されている。また、波長合分波装置２１Ｃは、例えばＲＲＨ２０側に設けられており、光ファイバ線路３０の他端に接続されている。
【００５６】
波長合分波装置１１Ｃは、Ｎ個（図ではＮ＝４の場合を例示）の信号ポート１２と、Ｍ個（図ではＭ＝１の場合を例示）の監視ポート１３と、（Ｍ＋Ｎ−１）個の波長合分波器１４とを有する。第１実施形態と同様に、４つの信号ポート１２は、４つの波長成分Ｐ1〜Ｐ4の入出力をそれぞれ行う。監視ポート１３は、監視光ＭＰ1の入出力を行う。４つの波長合分波器１４は、信号ポート１２及び監視ポート１３と光ファイバ線路３０の一端との間において、波長成分Ｐ1〜Ｐ4及び監視光ＭＰ1の合波及び分波を行う。
【００５７】
波長合分波装置１１Ｃでは、４つの波長合分波器１４の全部が、一つの直列合分波器群を構成している。そして、この直列合分波器群の第１段の波長合分波器１４の分岐端１４ａには監視光ＭＰ1が入力され、最終段の波長合分波器１４の結合端１４ｃは光ファイバ線路３０の一端と光結合されている。なお、監視光ＭＰ1の波長λMP1は、波長成分Ｐ1〜Ｐ4の波長λP1〜λP4よりも大きいか、若しくは小さい。そして、４つの波長合分波器１４は、これらのそれぞれを監視光ＭＰ1が必ず通過するように、監視ポート１３と光結合されている。
【００５８】
波長合分波装置２１Ｃは、４つの信号ポート２２と、１つの反転部２３と、４つの第２の波長合分波器２４とを有する。４つの信号ポート２２は、４つの波長成分Ｐ1〜ＰNの入出力をそれぞれ行う。反転部２３は、波長合分波装置１１Ａから到達した監視光ＭＰ1の進行方向を反転させる。これらの波長合分波器２４は、信号ポート２２及び反転部２３と光ファイバ線路３０の他端との間において、波長成分Ｐ1〜Ｐ4及び監視光ＭＰ1の合波及び分波を行う。すなわち、これらの波長合分波器２４は、光ファイバ線路３０から得られた合波光（受信光）から波長成分Ｐ1〜Ｐ4及び監視光ＭＰ1を分波し、波長成分Ｐ1〜Ｐ4それぞれを各信号ポート２２に出力し、監視光ＭＰ1を反転部２３に出力する。また、これらの波長合分波器２４は、４つの信号ポート２２から入力された波長成分Ｐ1〜Ｐ4、及び反転部２３によって反転された監視光ＭＰ1を合波して、その合波光（送信光）を光ファイバ線路３０へ出力する。
【００５９】
波長合分波装置２１Ｃにおいても、４つの波長合分波器２４の全部が、一つの直列合分波器群を構成している。そして、この直列合分波器群の第１段の波長合分波器２４の分岐端２４ａには反転部２３が光結合され、最終段の波長合分波器２４の結合端２４ｃは光ファイバ線路３０の他端と光結合されている。そして、４つの波長合分波器２４は、これらのそれぞれを監視光ＭＰ1が必ず通過するように、反転部２３と光結合されている。
【００６０】
以上の構成を備える本実施形態の光線路では、波長合分波装置１１Ｃの４つの信号ポート１２がＢＢＵ１０からの送信のための４つの波長成分Ｐ1〜Ｐ4を受けると、これらの波長成分Ｐ1〜Ｐ4は波長合分波器１４によって合波され、波長多重の信号光となる。一方、波長合分波装置１１Ｃの監視ポート１３がＢＢＵ１０からの監視光ＭＰ1を受けると、この監視光ＭＰ1は、複数の波長合分波器１４のそれぞれを通過しつつ、波長成分Ｐ1〜Ｐ4に合波される。その後、監視光ＭＰ1は、信号光（波長成分Ｐ1〜Ｐ4）と共に光ファイバ線路３０を通って波長合分波装置２１Ｃに達する。波長合分波装置２１Ｃでは、複数の波長合分波器２４によって信号光が波長成分Ｐ1〜Ｐ4に分波され、各波長成分Ｐ1〜Ｐ4は対応する信号ポート２２からＲＲＨ２０へ出力される。一方、監視光ＭＰ1は、複数の波長合分波器２４のそれぞれを通過しつつ、波長成分Ｐ1〜Ｐ4から分波される。分波された監視光ＭＰ1の進行方向は、反転部２３によって反転される。
【００６１】
ここで、波長合分波装置２１Ｃの４つの信号ポート２２がＲＲＨ２０からの送信のための４つの波長成分Ｐ1〜Ｐ4を受けると、これらの波長成分Ｐ1〜Ｐ4は波長合分波器２４によって合波され、波長多重の信号光となる。一方、反転部２３によって反転した監視光ＭＰ1は、複数の波長合分波器２４のそれぞれを通過しつつ、波長成分Ｐ1〜Ｐ4に合波される。その後、監視光ＭＰ1は、信号光（波長成分Ｐ1〜Ｐ4）と共に光ファイバ線路３０を通って波長合分波装置１１Ｃに達する。波長合分波装置１１Ｃでは、波長合分波器１４によって信号光が波長成分Ｐ1〜Ｐ4に分波され、各波長成分Ｐ1〜Ｐ4は対応する信号ポート１２からＢＢＵ１０へ出力される。一方、監視光ＭＰ1は、複数の波長合分波器１４のそれぞれを通過しつつ、波長成分Ｐ1〜Ｐ4から分波される。分波された監視光ＭＰ1は、監視ポート１３からＢＢＵ１０へ出力される。
【００６２】
本実施形態の光線路によれば、第１実施形態と同様の効果を得ることができる。すなわち、ＢＢＵ１０から監視ポート１３に入力される監視光ＭＰ1の波形と、監視ポート１３からＢＢＵ１０へ出力される監視光ＭＰ1の波形とを比較することにより、波長合分波器１４，２４および光ファイバ線路３０を含めた光通信システムの監視を行うことができる。すなわち、この光線路によれば、ＷＤＭ伝送方式の光通信システムにおいて、波長合分波器１４，２４を含めた監視を行うことができる。
【００６３】
本発明による光線路は、上述した実施形態に限られるものではなく、他に様々な変形が可能である。例えば、上述した各実施形態の構成要素を、必要な目的及び効果に応じて互いに組み合わせてもよい。また、上記の各実施形態では波長合分波器がハイパスフィルタ若しくはローパスフィルタによって構成されるとしたが、波長合分波器は他の要素、例えばバンドパスフィルタによって構成されてもよい。また、反転部の例として、光ファイバグレーティングによって監視光を反射するものを示したが、反転部はこれに限られず、例えばレンズ及び反射ミラーの組み合わせ、光コネクタ若しくは光ファイバの開放端（フレネル反射端）、誘電体多層膜、表面に金属コーティングが施された光コネクタ若しくは光ファイバといった、様々な構造によって実現され得る。
【符号の説明】
【００６４】
１Ａ…モバイルフロントホール、１１Ａ〜１１Ｃ…第１の波長合分波装置、１２…信号ポート、１３…監視ポート、１４，２４，３１…波長合分波器、１５，２５，２８，２９…光入出力ポート、１７Ａ，１７Ｂ，２７Ａ，２７Ｂ，３２Ａ，３２Ｂ…直列合分波器群、２１Ａ〜２１Ｃ…第２の波長合分波装置、２２…信号ポート、２３…反転部、２６，２７…波長合分波モジュール、３０…光ファイバ線路、ＭＰ1〜ＭＰ4…監視光、Ｐ1〜Ｐ12…波長成分。
【図１】
2017046207.tif 000003
【図２】
2017046207.tif 000004
【図３】
2017046207.tif 000005
【図４】
2017046207.tif 000006